(57)【要約】【課題】好適なクッション性を有して軽量化が可能なシートフレーム及び車両用シートを提供する。【解決手段】車両用シートに用いられるシートフレームＦは、着座者の荷重を受ける部位に配設されて樹脂材料で形成された板ばね４をバックフレームＦ２に備え、同様に形成された後側板ばね６及び前側板ばね７をクッションフレームＦ１に備える。板ばね４、後側板ばね６及び前側板ばね７は、着座者から加圧される車両用シートの加圧面に沿って形成されて着座者を支持する枠状支持部を有する。【選択図】図２
2015020552.tif 000002
【特許請求の範囲】
【請求項１】
車両用シートに用いられるシートフレームであって、
着座者の荷重を受ける部位に配設されて樹脂材料で形成された板ばねを備え、
該板ばねは、前記着座者から加圧される前記車両用シートの加圧面に沿って形成されて前記着座者を支持する枠状支持部を有することを特徴とするシートフレーム。
【請求項２】
前記板ばねは、前記加圧面に交差する方向に山と谷とを交互に有する蛇腹部を、前記枠状支持部が形成されていない部位に備えることを特徴とする請求項１に記載のシートフレーム。
【請求項３】
前記板ばねは、前記シートフレームを構成するバックフレームの領域内に配設されており、前記バックフレームの下側に固定された下側固定部と、前記バックフレームの上側に固定された上側固定部と、を備え、
前記下側固定部は、前記上側固定部に比して幅広に形成されていることを特徴とする請求項１又は２に記載のシートフレーム。
【請求項４】
前記枠状支持部は、前記下側固定部に下部位で連結されており、
前記下部位は、前記下側固定部の延在方向に対して斜めに延在していることを特徴とする請求項３に記載のシートフレーム。
【請求項５】
前記板ばねは、前記シートフレームを構成するバックフレームの領域内に複数設けられており、前記バックフレームの下側に固定されて前記着座者の少なくとも腰部を支持する部位に配置された下側板ばねと、前記バックフレームの上側に固定されて前記着座者の少なくとも胸部を支持する部位に配置された上側板ばねと、から構成され、
前記下側板ばねは、前記上側板ばねに比して幅広に形成されていることを特徴とする請求項１乃至４のいずれか１項に記載のシートフレーム。
【請求項６】
前記板ばねは、前記シートフレームを構成するバックフレームの領域内に配設されており、
前記枠状支持部は、前記着座者の少なくとも胸部を支持する部位に配置された少なくとも１つの上側枠状支持部と、前記着座者の少なくとも腰部を支持する部位に配置された少なくとも１つの下側枠状支持部と、から構成され、
前記上側枠状支持部よりも前記下側枠状支持部の方が広い範囲に形成されていることを特徴とする請求項１乃至５のいずれか１項に記載のシートフレーム。
【請求項７】
前記板ばねは、前記シートフレームを構成するバックフレームの領域内に配設されており、前記バックフレームの両側に固定された側方固定部を備え、該側方固定部の間に、前記枠状支持部をシート幅方向に複数有し、
前記側方固定部のそれぞれには、前記加圧面に交差する方向に山と谷とを交互に有する蛇腹部が形成されていることを特徴とする請求項１乃至６のいずれか１項に記載のシートフレーム。
【請求項８】
前記板ばねは、前記バックフレームに固定された固定部より中央部が前記着座者側に膨出するように形成されていることを特徴とする請求項３乃至７のいずれか１項に記載のシートフレーム。
【請求項９】
前記板ばねは、前記シートフレームを構成するクッションフレームの領域内に配設されており、前記車両用シートの前後を前後方向とした場合に、前記クッションフレームの前側に固定された前側固定部と、前記クッションフレームの後側に固定された後側固定部と、を備え、
前記後側固定部は、前記前側固定部に比して幅狭に形成されていることを特徴とする請求項１又は２に記載のシートフレーム。
【請求項１０】
前記板ばねは、前記シートフレームを構成するクッションフレームの領域内に複数設けられており、前記クッションフレームの前側に固定されて前記着座者の少なくとも大腿部を支持する部位に配置された前側板ばねと、前記クッションフレームの後側に固定されて前記着座者の少なくとも臀部を支持する部位に配置された後側板ばねと、から構成され、
前記後側板ばねは、前記前側板ばねに比して幅狭に形成されていることを特徴とする請求項１、２又は９に記載のシートフレーム。
【請求項１１】
前記シートフレームは樹脂材料で形成されており、
前記板ばねは、前記シートフレームと一体に形成されていることを特徴とする請求項１乃至１０のいずれか１項に記載のシートフレーム。
【請求項１２】
請求項１に記載のシートフレームを備えることを特徴とする車両用シート。
【発明の詳細な説明】
【技術分野】
【０００１】
本発明は、シートフレーム及び車両用シートに係り、特に、樹脂材料で形成された板ばねを備えるシートフレーム及び車両用シートに関する。
【背景技術】
【０００２】
車両用シートの中には、軽量化のために、バックフレームやクッションフレームの一部又は全部、及びバックフレームやクッションフレームに取り付けられるばねをプラスチック等の樹脂材料にて成形しているものがある。
車両用シートに設けられる樹脂材料によって成形されたばねには、特許文献１に例示するように、全体が直線的に延在し、一部が厚さ方向に波打つように形成された蛇腹状の弛み部を有してバックフレームに固定された板ばねから成るものがある。この板ばねは、弛み部によって、長手方向に伸縮し厚さ方向に撓むように弾性変形可能となるものである。
【先行技術文献】
【特許文献】
【０００３】
【特許文献１】特開２０１３−４７０６７号公報
【発明の概要】
【発明が解決しようとする課題】
【０００４】
しかしながら、特許文献１のような車両用シートにおいて、板ばねが全体的な形状としては直線的に形成されているため、板ばねの部位ごとの剛性の調整が困難であった。つまり、車両用シートにおける着座者の背中側における腰部、胸部に接触する各部分ごとに好適なクッション性を備えさせるためには、弾性の異なる多くの板ばねを備えさせる必要があった。
このため、特許文献１の車両用シートは、板ばねの個数が多くなることにより、金属材料から樹脂材料に変えることによる軽量化の効果が薄まり、更に、板ばねの組み付けに工数がかかり生産性が低かった。
【０００５】
本発明は、上記の課題に鑑みてなされたものであり、本発明の目的は、好適なクッション性を有して軽量化が可能なシートフレーム及び車両用シートを提供することにある。
また、本発明の他の目的は、板ばねを備えるシートフレーム及び車両用シートの製造を容易にすることにある。
【課題を解決するための手段】
【０００６】
前記課題は、本発明のシートフレームによれば、シートフレームが、車両用シートに用いられるシートフレームであって、着座者の荷重を受ける部位に配設されて樹脂材料で形成された板ばねを備え、該板ばねは、前記着座者から加圧される前記車両用シートの加圧面に沿って形成されて前記着座者を支持する枠状支持部を有すること、により解決される。
【０００７】
このように、シートフレームが、樹脂性の板ばねを備え、板ばねが枠状支持部を有することにより、枠状支持部によって、着座者に接触する所定の部分を所望の剛性にして好適なクッション性を備えさせ、且つ、枠状に切り欠かれた分だけ材料を少なくでき軽量化が図れる。
【０００８】
更に、前記板ばねは、前記加圧面に交差する方向に山と谷とを交互に有する蛇腹部を、前記枠状支持部が形成されていない部位に備えるようにすると好ましい。
このように、板ばねが蛇腹部を備えることによって、金属製のものよりも一般的に弾性の低い樹脂材料から成るものであっても、蛇腹部によって弾性を備えさせることができ、より好適なクッション性をシートフレームに備えさせることが可能となる。
【０００９】
また、前記板ばねは、前記シートフレームを構成するバックフレームの領域内に配設されており、前記バックフレームの下側に固定された下側固定部と、前記バックフレームの上側に固定された上側固定部と、を備え、前記下側固定部は、前記上側固定部に比して幅広に形成されていると好ましい。
このように、バックフレームの領域内に設けられた板ばねにおける、バックフレームに固定された下側固定部が、上側固定部よりも幅広に形成されていることで、着座者を好適に支持することができる。具体的には、下側固定部には、着座者の腰部近傍から大きな荷重がかかるが、この荷重に耐え得る高い剛性を備えさせることができ、着座者の支持に好適なクッション性をバックフレームに備えさせることができる。
【００１０】
また、前記枠状支持部は、前記下側固定部に下部位で連結されており、前記下部位は、前記下側固定部の延在方向に対して斜めに延在していると好ましい。
このように、枠状支持部の下部位が、下側固定部の延在方向に対して斜めに延在していることで、着座者がもたれかかることによって板ばねに生じる応力について、枠状支持部の下部位と下側固定部との連結部位における応力集中を低減でき、安定したクッション性をバックフレームに付与することができる。
【００１１】
また、前記板ばねは、前記シートフレームを構成するバックフレームの領域内に複数設けられており、前記バックフレームの下側に固定されて前記着座者の少なくとも腰部を支持する部位に配置された下側板ばねと、前記バックフレームの上側に固定されて前記着座者の少なくとも胸部を支持する部位に配置された上側板ばねと、から構成され、前記下側板ばねは、前記上側板ばねに比して幅広に形成されていると好ましい。
ここでいう着座者の胸部とは、着座者の胸の位置の背中側を意味するものである。以下、同じ。
このように、下側板ばねが上側板ばねに比して幅広に形成されていることで、着座者を好適に支持することができる。具体的には、バックフレームの領域内に設けられた複数の板ばねにおいて、バックフレームの下側に固定された下側板ばねは、バックフレームの上側に固定された上側板ばねに比して着座者の腰部近傍から大きな荷重を受ける。このため、下側板ばねが、上側板ばねに比して幅広に形成されていることによって高い剛性を備えることとなり、着座者の支持に好適なクッション性をバックフレームに備えさせることができる。
【００１２】
更に、前記板ばねは、前記シートフレームを構成するバックフレームの領域内に配設されており、前記枠状支持部は、前記着座者の少なくとも胸部を支持する部位に配置された少なくとも１つの上側枠状支持部と、前記着座者の少なくとも腰部を支持する部位に配置された少なくとも１つの下側枠状支持部と、から構成され、前記上側枠状支持部よりも前記下側枠状支持部の方が広い範囲に形成されていると好ましい。
このように、上側枠状支持部よりも下側枠状支持部の方が広い範囲に形成されていることで、着座者の腰部近傍であるバックフレームの下側で広くなるシートと着座者との接触範囲に、上側枠状支持部と下側枠状支持部のそれぞれの範囲が適したものとなり、着座者の支持に好適なクッション性をバックフレームに備えさせることができる。
【００１３】
また、前記板ばねは、前記シートフレームを構成するバックフレームの領域内に配設されており、前記バックフレームの両側に固定された側方固定部を備え、該側方固定部の間に、前記枠状支持部をシート幅方向に複数有し、前記側方固定部のそれぞれには、前記加圧面に交差する方向に山と谷とを交互に有する蛇腹部が形成されているようにしてもよい。
このように、板ばねが、バックフレームの両側に固定された側方固定部を備え、側方固定部の間に、枠状支持部をシート幅方向に複数有し、側方固定部のそれぞれには、蛇腹部が形成されているようにすることで、側方側であるシート幅方向において弾性力が安定し、好適なクッション性をバックフレームに付与することができる。
【００１４】
また、前記板ばねは、前記バックフレームに固定された固定部より中央部が前記着座者側に膨出するように形成されていると好ましい。
このように、板ばねの中央部が着座者側に膨出して形成されていることで、板ばねは、乗員が着座する際の変形範囲が膨出分だけ大きくなり、弾性変形によって生じる復元力の強度範囲が広くなり、着座者の支持に好適なクッション性をバックフレームに備えさせることができる。
【００１５】
また、前記板ばねは、前記シートフレームを構成するクッションフレームの領域内に配設されており、前記車両用シートの前後を前後方向とした場合に、前記クッションフレームの前側に固定された前側固定部と、前記クッションフレームの後側に固定された後側固定部と、を備え、前記後側固定部は、前記前側固定部に比して幅狭に形成されていると好ましい。
このように、板ばねの後側固定部が、前側固定部に比して幅狭に形成されていることで、前側固定部に対して柔軟性が高まり、着座者の支持に好適なクッション性をクッションフレームに備えさせることができる。
【００１６】
また、前記板ばねは、前記シートフレームを構成するクッションフレームの領域内に複数設けられており、前記クッションフレームの前側に固定されて前記着座者の少なくとも大腿部を支持する部位に配置された前側板ばねと、前記クッションフレームの後側に固定されて前記着座者の少なくとも臀部を支持する部位に配置された後側板ばねと、から構成され、前記後側板ばねは、前記前側板ばねに比して幅狭に形成されていると好ましい。
このように、クッションフレームの領域内に設けられた板ばねにおいて、臀部を支持する後側板ばねが、大腿部を支持する前側板ばねに比して、幅狭に形成されていることによりクッション性が高まり、着座者を好適に支持することができる。
【００１７】
また、前記シートフレームは樹脂材料で形成されており、前記板ばねは、前記シートフレームと一体に形成されているようにしてもよい。
このように、板ばねがシートフレームと一体に形成されていることで、板ばねのシートフレームへの組み付け工程が不要となり、シートフレームの製造が容易となる。
【００１８】
また、車両用シートがシートフレームを備えるようにしてもよい。
このように、車両用シートがシートフレームを備えることで、シートフレームによって奏される上記の効果を車両用シートも享受することができる。
【発明の効果】
【００１９】
請求項１及び２の発明によれば、車両用シートに好適なクッション性を備えさせ、且つ、軽量化が可能なシートフレームを提供することができる。
請求項３乃至８の発明によれば、着座者の支持に好適なクッション性をバックフレームに備えさせることができる。
請求項９及び１０の発明によれば、着座者の支持に好適なクッション性をクッションフレームに備えさせることができる。
請求項１１の発明によれば、シートフレームの製造が容易となる。
請求項１２の発明によれば、シートフレームによって奏される上記の効果を車両用シートも享受することができる。
【図面の簡単な説明】
【００２０】
【図１】本実施形態に係る車両用シートの斜視図である。
【図２】本実施形態に係るシートフレームの斜視図である。
【図３】（ａ）は、バックフレームに設けられる板ばねの正面図、（ｂ）は、側面図である。
【図４】バックフレームに設けられた板ばねの下側固定部を示す正面斜視図である。
【図５】バックフレームに設けられた板ばねの下側固定部を示す裏面斜視図である。
【図６】バックフレームに設けられた板ばねの上側固定部を示す正面斜視図である。
【図７】クッションフレームに設けられた板ばねの上面図である。
【図８】バックフレームに設けられる第１の変形例に係る板ばねの正面図である。
【図９】バックフレームに設けられる第２の変形例に係る板ばねの正面図である。
【図１０】バックフレームに設けられる第３の変形例に係る板ばねの正面図である。
【図１１】バックフレームに設けられる第４の変形例に係る板ばねの正面図である。
【図１２】クッションフレームに設けられた変形例に係る板ばねの上面図である。
【発明を実施するための形態】
【００２１】
本実施形態は、樹脂材料で形成された板ばねを備えるシートフレーム、及びシートフレームを備える車両用シートに関するものである。
なお、車両用シートのシートバックに対して乗員が着座する側を前方側、その逆側を後方側とし、シート幅方向を左右方向とも称呼する。
以下に、本実施形態に係るシートフレームＦ、及びシートフレームＦを備える車両用シートＳについて説明する。
【００２２】
＜＜本実施形態に係るシートフレーム及び車両用シート＞＞
本実施形態の車両用シートＳは、図１に示すように、シートクッション１と、シートバック２と、シートバック２の上方に設けられたヘッドレスト３と、により構成されている。
シートクッション１は、骨格となる図２に示すクッションフレームＦ１にクッションパッド１ａが載置されて、表皮材１ｂで被覆されて構成されている。
シートバック２は、骨格となる図２に示すバックフレームＦ２に、クッションパッド２ａが載置されて、表皮材２ｂで被覆されて構成されている。なお、クッションフレームＦ１とバックフレームＦ２とを、車両用シートＳの骨格となるものとしてシートフレームＦと総称する。
【００２３】
クッションフレームＦ１は、シートの幅方向両側に設けられた左右のサイドフレーム部１ｃと、シート前方に設けられたフロントフレーム部１ｄと、シート後方に設けられたリアフレーム部１ｅと、を有する略矩形状の枠体からなり、樹脂材料としての炭素繊維強化プラスチック（以下、ＣＦＲＰと記載）にて成形されている。詳細については後述するが、左右のサイドフレーム部１ｃには、前後に設けられた後側板ばね６と前側板ばね７が渡され、後側板ばね６、前側板ばね７の側方固定部６ａ，７ａが固定されている。
【００２４】
バックフレームＦ２は、略矩形状の枠体からなり、ＣＦＲＰにて成形されている。バックフレームＦ２の中央側の縁に、シート前方に向かって延出するフランジ部２ｃが全周に亘って形成されている。詳細については後述するが、下側及び上側のフランジ部２ｃには、左右に一対設けられた板ばね４が渡されて、板ばね４の下側固定部４ａ及び上側固定部４ｅがそれぞれに固定されている。
【００２５】
＜バックフレームが備える板ばねについて＞
まず、バックフレームＦ２が備える左右一対の板ばね４の一つについて、図３乃至６を参照して説明する。
板ばね４は、図３に示すように、下側から上側へと順に、下側のフランジ部２ｃに固定される下側固定部４ａと、下側固定部４ａに対し幅方向に広がる下側枠状支持部４ｂと、下側枠状支持部４ｂを後記の上側枠状支持部４ｄに連結する連結部４ｃと、連結部４ｃに対し幅方向に広がる上側枠状支持部４ｄと、蛇腹部４ｆを備えて上側のフランジ部２ｃに固定される上側固定部４ｅと、を備える。
【００２６】
下側固定部４ａは、図４及び図５に示すように、下部が略前後方向に延在しており、下部の前側が上方に向かって曲がって延出している。
下側固定部４ａの下端部は、下部のフランジ部２ｃに略水平向きで重ねられた状態で、リベットＲによって固定されることによって、バックフレームＦ２に固定されている。
また、下側固定部４ａは、後述する連結部４ｃ及び上側固定部４ｅよりも高い剛性となるように、これらよりも幅広に形成されている。板ばね４は、下側固定部４ａが幅広に形成されていることで、着座者がシートバック２にもたれかかる際に最も荷重がかかる部分において適度な剛性を備えることとなる。
【００２７】
下側枠状支持部４ｂは、正面視で略ベース状に形成された外縁を有し、その外縁から所定の間隔を空けて、正面視で略ベース状であり厚さ方向に形成された孔４０ｂを中央に有する。下側枠状支持部４ｂは、着座者から加圧されるシートバック２の面を加圧面２Ｓ（図１においてハッチングで示す面）としたときに、加圧面２Ｓに沿う部分であり、着座者がシートバック２にもたれかかる際に広い範囲で最も荷重が加わる部位である着座者の腰部に対向する部位に設けられている。
下側枠状支持部４ｂは、正面視で略ベース状に形成された外縁を有することによって、着座者からシートバック２に加わる荷重の領域（腰部の骨盤の領域）に沿う形状となり、他の部位よりも広範囲で着座者を支持可能に形成されている。
【００２８】
特に、下側枠状支持部４ｂは下側固定部４ａに一体的に形成されており、下側枠状支持部４ｂの下部位は、図３（ａ）に示す正面視において、下側固定部４ａの延在方向に対して斜めに形成されている。下側枠状支持部４ｂの下部位は、下側固定部４ａに対して斜め、換言すると、下側枠状支持部４ｂと下側固定部４ａとの結合によってＹ字形を成すように形成されている。このため、下側枠状支持部４ｂの下部位は、これらが直交するように形成されているもの、換言すると、下側枠状支持部４ｂと下側固定部４ａとの結合によってＴ字形を成すように形成されているものと比較して、応力集中が低減され、板ばね４の弾性能力を安定的に維持することができる。
このように、着座者の腰部から大きな荷重が加わることで大きな応力が発生する下側枠状支持部４ｂがこのように形成されていると、板ばね４の弾性能力（クッション性）の維持に特に有効である。
【００２９】
更に、下側枠状支持部４ｂにおいては、中央の孔４０ｂの大きさを変更することで所望の剛性を備えるものに変更可能であり、シートバック２のクッション性を着座者の腰部を支持するのに好適なものに容易に変更可能である。
【００３０】
連結部４ｃは、下側枠状支持部４ｂの上部の中央と後述する上側枠状支持部４ｄの下部の中央とを連結する部位であり、下側固定部４ａよりも幅狭であり後述する上側固定部４ｅよりも幅広に、且つ、直線的に形成されている。
【００３１】
上側枠状支持部４ｄは、正面視で略正六角形状に形成された外縁を有し、その外縁から所定の間隔を空けて、正面視で略正六角形状であり厚さ方向に形成された孔４０ｄを中央部に有する。上側枠状支持部４ｄは、シートバック２の加圧面２Ｓに沿う部分であり、着座者の胸部に対向する部位に設けられている。
上側枠状支持部４ｄは、シートバック２に対して、着座者の胸部から所定値以上の荷重が加わる範囲が腰部から所定値以上の荷重が加わる範囲よりも狭いために、腰部を支持する下側枠状支持部４ｂよりも小さい大きさ、つまり狭い範囲で形成されている。更に、上側枠状支持部４ｄにおいては、中央の孔４０ｄの大きさを変更することで所望の剛性を備えるものに変更可能であり、シートバック２のクッション性を着座者の胸部を支持するのに好適なものに容易に変更可能である。
【００３２】
上側固定部４ｅは、図３及び図６に示すように、上部が略前後方向に延在しており、上部の前側が下方に向かって曲がって延出し、上側枠状支持部４ｄの上部の中央に一体的に接続されている。上側固定部４ｅは、正面視においては直線的に形成されており、上端部のみ大きく拡がって形成されている。
上側固定部４ｅの上端部は、上部のフランジ部２ｃに略水平向きで重ねられた状態で、リベットＲによって固定されることによって、バックフレームＦ２に固定されている。
また、上側固定部４ｅは、加圧面２Ｓに交差する方向である前後方向に山と谷とを交互に有して波打つように形成された蛇腹部４ｆを有する。
板ばね４は、蛇腹部４ｆを有することで、厚さ方向の弾性と長尺方向への伸縮性とを備えることとなり、着座者に好適なクッション性をシートバック２に付与することとなる。
【００３３】
また、板ばね４は、図３（ｂ）に示すように、下側固定部４ａが下端部側で後方から前方に延在し前側で上方に向けて曲がっていると共に、上側固定部４ｅが上端部側で後方から前方に延在し前側で下方に向けて曲がっていることにより、側面視において、中央部が前方に膨出するように形成されている。
【００３４】
このように、板ばね４は、中央部が前方に膨出するように形成されているため、前方からの荷重に対しての変形量の幅を大きくすることができる。つまり、板ばね４は、その特性から、シートバック２の沈み込みに応じて変形し、変形量に応じて徐々に弾性力が強くなるが、この変形量の幅が大きくなることにより着座者に好適なクッション性をシートバック２に付加することができる。
上記のように構成される板ばね４が左右に一対、バックフレームＦ２に設けられていることで、シートバック２は、幅方向及び高さ方向において、着座者の腰部及び胸部を支持するのに好適なクッション性を備えることとなる。
【００３５】
＜クッションフレームが備える板ばねについて＞
次に、クッションフレームＦ１が前後に備える後側板ばね６、前側板ばね７について図７を参照して説明する。
【００３６】
後側板ばね６及び前側板ばね７は、クッションフレームＦ１の幅方向に、両サイドフレーム部１ｃに渡されて、前後に設けられている。後側板ばね６及び前側板ばね７は、両端側に側方固定部６ａ，７ａを有し、中央に、側方固定部６ａ，７ａよりも前後方向に広がる後側枠状支持部６ｃ及び前側枠状支持部７ｃを有する。
【００３７】
側方固定部６ａ，７ａは、サイドフレーム部１ｃの片側に２つ両側に計４つ形成された幅方向内側に突出する突出部１ｆに、リベットＲによってそれぞれ固定されている。
また、側方固定部６ａ，７ａのそれぞれは、着座者から圧力が加わる加圧面である着座面１Ｓ（図１においてハッチングで示す面）に交差する方向である上下方向に山と谷とを交互に有して波打つように形成された蛇腹部６ｂ，７ｂを有する。
後側板ばね６及び前側板ばね７は、蛇腹部６ｂ，７ｂを有することで、厚さ方向の弾性と長尺方向への伸縮性とを備えることとなり、着座者に好適なクッション性をシートクッション１に付与することとなる。
【００３８】
後側枠状支持部６ｃ及び前側枠状支持部７ｃは、上面視で略長円形状に形成された外縁を有し、その外縁から所定の間隔を空けて、上面視で略長円形状に厚さ方向に形成された孔６０ｃ，７０ｃを中央に有する。
後側枠状支持部６ｃは、シートクッション１の着座面１Ｓに沿う部分であり、着座者がシートクッション１に座る際に最も荷重が加わる部位である着座者の臀部に対向する部位に設けられている。
一方、前側枠状支持部７ｃは、シートクッション１の着座面１Ｓに沿う部分であり、着座者がシートクッション１に座る際に比較的小さな荷重が加わる部位である着座者の大腿部に対向する部位に設けられている。
【００３９】
また、後側枠状支持部６ｃ及び前側枠状支持部７ｃは、側方固定部６ａ，７ａよりも前後方向に大きく形成されているため、広範囲で着座者を支持可能である。更に、後側枠状支持部６ｃ及び前側枠状支持部７ｃにおいては、中央の孔６０ｃ，７０ｃの大きさを変更することで所望の剛性を備えるものに変更可能であり、シートクッション１のクッション性を着座者の臀部及び大腿部を支持するのに好適なものに容易に変更可能である。
【００４０】
また、後側枠状支持部６ｃは、前側枠状支持部７ｃよりも低い剛性となるように全体的に幅狭に形成されている。
このように、後側枠状支持部６ｃ及び前側枠状支持部７ｃが形成されていることで、臀部の沈み込みを好適な深さに確保しつつ、大腿部の沈み込みを制限するによって、着座者の姿勢の維持を快適に保つことができる。
【００４１】
また、前側板ばね７は、前側が後側よりも上部に位置するようにバックフレームＦ２側に傾けられてクッションフレームＦ１に固定されている。
このように、前側板ばね７がクッションフレームＦ１に固定されていることによって、前側板ばね７の向きが着座者の大腿部に沿う向きとなり、好適に着座者を支持することが可能となる。
【００４２】
上記実施形態に係るシートフレームＦ及びシートフレームＦを備える車両用シートＳによれば、着座者の好適に支持することが可能となると共に、シートフレームＦ及び車両用シートＳを軽量化させることが可能となる。
【００４３】
上記実施形態は、本願発明の一実施形態を示すものであり、上記実施形態の構成に本願発明が限定されるものではなく、各構成を変形することが可能である。次に、各構成の変形例について説明する。なお、以下において本実施形態又は各変形例に重複する構成については、同一の符号を付し、差異を明確にするために特別必要でない限り説明を省略する。
【００４４】
＜シートバックに設けられる第１の変形例に係る板ばね＞
上記実施形態に係る板ばね４は、シートバック２に左右一対、別体として設けられるものとして説明した。しかし、本願発明はこのような構成に限定されず、例えば、別体ではなく、一対の板ばね４が連結されて構成される図８に示すような板ばね８であってもよい。
具体的には、板ばね８は、左右の下側枠状支持部４ｂの中央内側を連結する下側連結部８ａと、左右の上側枠状支持部４ｄの中央内側を連結する上側連結部８ｂと、を備える。下側連結部８ａは、上側連結部８ｂよりも幅広に形成されており、胸部よりも腰部からかかる大きな荷重を支持可能な剛性となるように形成されている。
【００４５】
＜第２の変形例に係る板ばね＞
また、上記実施形態に係る板ばね４は、シートバック２に左右一対、別体として設けられるものとして説明した。しかし、本願発明はこのような構成に限定されず、例えば、図９に示すように、左右一対ではなく、上下に一組の板ばね９が別体として設けられたものであってもよい。
【００４６】
板ばね９は、上下に他部材と連結する部位を有しない、一方で幅方向に連結する部位を有する。具体的には、板ばね９は、バックフレームＦ２の下側に設けられて左右のフランジ部２ｃに固定される下側板ばね９ＬとバックフレームＦ２の上側に設けられて左右のフランジ部２ｃに固定される上側板ばね９Ｕとから構成されるものである。
【００４７】
下側板ばね９Ｌは、左右一対の下側枠状支持部４ｂと、左右一対の下側枠状支持部４ｂの相互の幅方向内側を連結する下側連結部８ａと、左右一対の下側枠状支持部４ｂから幅方向外側へ延出して左右のフランジ部２ｃに固定される側方固定部９ａと、を備えて左右対称に形成されている。また、下側枠状支持部４ｂは、側方固定部９ａに対して高さ方向に広がるように形成されており、側方固定部９ａは、両側それぞれの一部に、着座者から加圧される車両用シートＳの加圧面に交差する方向である前後方向に山と谷とを交互に有して波打つように形成された蛇腹部９ｂを備える。
【００４８】
上側板ばね９Ｕは、左右一対の上側枠状支持部４ｄと、左右一対の上側枠状支持部４ｄの相互の幅方向内側を連結する上側連結部８ｂと、左右一対の上側枠状支持部４ｄから幅方向外側へ延出して左右のフランジ部２ｃに固定される側方固定部９ｃと、を備えて左右対称に形成されている。また、上側枠状支持部４ｄは、側方固定部９ｃに対して高さ方向に広がるように形成されており、側方固定部９ｃは、両側それぞれの一部に、着座者から加圧される車両用シートＳの加圧面に交差する方向である前後方向に山と谷とを交互に有して波打つように形成された蛇腹部９ｄを有する。
【００４９】
つまり、板ばね９は、上記実施形態に係る板ばね４と異なり、左右一対の下側枠状支持部４ｂの高さ方向中央部で幅方向内側を連結する下側連結部８ａを有し、左右一対の上側枠状支持部４ｄの高さ方向中央部で幅方向内側を連結する上側連結部８ｂを有する。
更に、板ばね４及び第１の変形例に係る板ばね８と異なり、下側枠状支持部４ｂ又は上側枠状支持部４ｄの中央外側からバックフレームＦ２の幅方向に延出する側方固定部９ａ，９ｃをそれぞれ有する。一方で、板ばね９は、下側固定部４ａ、上側固定部４ｅ及び連結部４ｃを有しない。更に、板ばね９は、板ばね４及び板ばね８と異なり、側方固定部９ａ，９ｃのそれぞれの両側の一部に蛇腹部９ｄを有する。このように、左右に蛇腹部９ｄが形成されていることで、シートバック２のクッション性を左右対称にでき、シート幅方向において好適なクッション性をバックフレームＦ２に付与することができる。
【００５０】
＜第３の変形例に係る板ばね＞
また、第３の変形例に係る板ばね１０は、図１０に示すように、第２の変形例に係る板ばね９の左右一対の下側枠状支持部４ｂと左右一対の上側枠状支持部４ｄとのそれぞれの上下間を中間連結部１０ａによって連結する構成を備える。
このように構成された板ばね１０であっても着座者に対して好適なクッション性を付与することができる。
【００５１】
＜第４の変形例に係る板ばね＞
また、第４の変形例としての板ばね１１として、図１１に示すように、第３の変形例に係る板ばね１０の左右一対の下側枠状支持部４ｂの下側中央部のそれぞれから下方に延出する下側固定部４ａと、左右一対の上側枠状支持部４ｄの上側中央部のそれぞれからから上方に延出する上側固定部４ｅとを備えるようにしてもよい。
このように構成された板ばね１１であっても、着座者に対し好適なクッション性を付与することができる。
【００５２】
＜クッションフレームに設けられる変形例に係る板ばね＞
クッションフレームＦ１に設けられる変形例に係る板ばね１２は、図１２に示すように、後側枠状支持部６ｃと前側枠状支持部７ｃとが、前後に延出する左右一対の中間連結部１２ｃによって連結されている。
【００５３】
更に、板ばね１２には、後側枠状支持部６ｃから後方に延出し、幅方向に所定の間隔を空けて設けられた一対の後側固定部１２ａが形成されている。同様に、板ばね１２には、前側枠状支持部７ｃから前方に延出し、幅方向に所定の間隔を空けて設けられた一対の前側固定部１２ｄが形成されている。
【００５４】
一対の後側固定部１２ａの後端部は、枠状のクッションフレームＦ１のリアフレーム部１ｅから前方内側に向けて突出する突出部１ｇにリベットＲによって固定されている。同様に、一対の前側固定部１２ｄの前端部は、枠状のクッションフレームＦ１のフロントフレーム部１ｄから後方内側に向けて突出する突出部１ｇにリベットＲによって固定されている。更に、後側固定部１２ａは、前側固定部１２ｄよりも幅狭に形成されている。
また、一対の後側固定部１２ａ及び一対の前側固定部１２ｄのそれぞれは、加圧面としての着座面１Ｓに交差する方向である上下方向に山と谷とを交互に有して波打つように形成された蛇腹部１２ｂ，１２ｅを有する。板ばね１２は、蛇腹部１２ｂ，１２ｅを有することで、厚さ方向の弾性と長尺方向への伸縮性とを備えることとなり、着座者に好適なクッション性をシートクッション１に付与することとなる。
【００５５】
上記構成を備える板ばね１２によっても、後側枠状支持部６ｃが、前側枠状支持部７ｃよりも幅狭であること、また、後側固定部１２ａが、前側固定部１２ｄよりも幅狭に形成されていることで、板ばね１２の前後の剛性が着座者の臀部及び大腿部の支持に好適なものとなる。
【００５６】
上記の実施形態に係るシートフレームＦ及び車両用シートＳは、本発明の理解を容易にするための一例に過ぎず、本発明を限定するものではない。本発明は、その趣旨を逸脱することなく、変更、改良され得ると共に、本発明にはその等価物が含まれることは勿論である。
【００５７】
例えば、板ばねは、蛇腹部を備えるものとして説明したが、板ばねが弾性を有する素材から成るものであれば、必ずしも蛇腹部を備えるものに本発明は限定されない。
【００５８】
また、クッションフレームＦ１及びバックフレームＦ２は、ＣＦＲＰにて成形されるものとして説明したが、それ以外の樹脂材料によって成形されるものであってもよい。クッションフレームＦ１又はバックフレームＦ２が樹脂材料から成るものであれば、車両用シートＳ全体として軽量化が可能になるため好ましい。
【００５９】
また、各種板ばねとシートフレームＦとの固定をリベットＲによって行うものとして説明したが、これに限定されることなく、接着剤による接着、溶接接合、ボルト締結等、公知の固定手段を適宜用いることが可能であって、複数の固定手段を組み合わせて固定強度を向上させても良い。
【００６０】
更に、クッションフレームＦ１又はバックフレームＦ２が樹脂材料であり、樹脂材料から成る板ばねとそれぞれ一体的に成形するようにすれば、部品管理性、組立作業性が良いため生産性を向上させることができる。
更に、クッションフレームＦ１及びバックフレームＦ２は、全体がＣＦＲＰ等の樹脂材料によって成形されるものに限定されることなく、少なくとも板ばねに連結する部分のみが樹脂材料によって成形されるものであってもよい。このようにすれば、板ばねを別途リベットＲによって取り付ける必要がなく、組立作業性が良好となる。
【００６１】
また、蛇腹部は、クッションフレームＦ１の前後の突出部１ｇ、又はバックフレームＦ２の上下のフランジ部２ｃに渡される板ばねにおいて、板ばねの一部に蛇腹部が形成されていればよく、例えば、上側固定部に形成されるものに限定されるものではなく、連結部や枠状支持部に形成されるものであってもよい。
同様に、蛇腹部は、クッションフレームＦ１の左右の突出部１ｆ、又はバックフレームＦ２の左右のフランジ部２ｃに渡される板ばねにおいては、板ばねの左右対称に蛇腹部が形成されていればよく、例えば、側方固定部に形成されるものに限定されるものではなく、連結部や枠状支持部に形成されるものであってもよい。
【００６２】
なお、支持部は枠状であるものとして説明したが、本実施形態に示したような、孔を画定するような完全な環状である必要はなく、例えば、環状の一部が切り欠かれて内部空間の一部が開放されている形状であってもよい。
【００６３】
なお、板ばねの剛性の調整を、上記実施形態においては、孔の大きさを変えるようにして行うものとして説明したが、これに加えて例えば、ＣＦＲＰの繊維配向、積層向きによって剛性を調整するようにしてもよい。
【符号の説明】
【００６４】
１  シートクッション
１ａ  クッションパッド
１ｂ  表皮材
１ｃ  サイドフレーム部
１ｄ  フロントフレーム部
１ｅ  リアフレーム部
１ｆ，１ｇ  突出部
１Ｓ  着座面（加圧面）
２  シートバック
２ａ  クッションパッド
２ｂ  表皮材
２ｃ  フランジ部
２Ｓ  加圧面
３  ヘッドレスト
４  板ばね
４ａ  下側固定部
４ｂ  下側枠状支持部
４ｃ  連結部
４ｄ  上側枠状支持部
４ｅ  上側固定部
４ｆ  蛇腹部
４０ｂ，４０ｄ  孔
６  後側板ばね
６ａ  側方固定部
６ｂ  蛇腹部
６ｃ  後側枠状支持部
６０ｃ  孔
７  前側板ばね
７ａ  側方固定部
７ｂ  蛇腹部
７ｃ  前側枠状支持部
７０ｃ  孔
８  板ばね
８ａ  下側連結部
８ｂ  上側連結部
９  板ばね
９Ｌ  下側板ばね
９Ｕ  上側板ばね
９ａ，９ｃ  側方固定部
９ｂ，９ｄ  蛇腹部
１０  板ばね
１０ａ  中間連結部
１１  板ばね
１２  板ばね
１２ａ  後側固定部
１２ｂ，１２ｅ  蛇腹部
１２ｃ  中間連結部
１２ｄ  前側固定部
Ｆ  シートフレーム
Ｆ１  クッションフレーム
Ｆ２  バックフレーム
Ｒ  リベット
Ｓ  車両用シート
【図１】
2015020552.tif 000003
【図２】
2015020552.tif 000004
【図３】
2015020552.tif 000005
【図４】
2015020552.tif 000006
【図５】
2015020552.tif 000007
【図６】
2015020552.tif 000008
【図７】
2015020552.tif 000009
【図８】
2015020552.tif 000010
【図９】
2015020552.tif 000011
【図１０】
2015020552.tif 000012
【図１１】
2015020552.tif 000013
【図１２】
2015020552.tif 000014